(57)【要約】    本発明は化粧品及び／又は皮膚科学的に活性な成分を加えられた下着に関する。【特許請求の範囲】
【請求項１】
化粧品及び／又は皮膚科学的に活性な成分を加えられた下着。
【請求項２】
下着がシャツ、Ｔシャツ、ブラ、パンツ、寝間着、ビュスティエ、ズボン吊りベルト、ストッキンク及び／又はパンティストッキングであることを特徴とする請求項１に記載の下着。
【請求項３】
場合によりコーテイングされていてもよい、天然及び／又は合成繊維、皮革又はラテックスからなることを特徴とする請求項１及び２のいずれかに記載の下着。
【請求項４】
シクロデキストリンを物質上に固定化させることを特徴とする請求項１〜３のいずれかに記載の下着。
【請求項５】
使用される活性成分がフェロモン、催淫薬、漂白剤、自己なめし薬、忌避剤、香料、皮膚の炎症状態の予防及び／又は治療のための活性成分及び／又は過敏と決定された皮膚及び乾燥した皮膚の場合の皮膚保護のための活性成分、しわ防止活性成分及び及び脂肪性浮腫に対する活性成分であることを特徴とする請求項１〜４のいずれかに記載の下着。
【請求項６】
清潔な下着又はクリーニングされた下着に、別の洗浄及び／又は乾燥操作において化粧品及び／又は皮膚科学的に活性な成分を加えることを特徴とする請求項１〜５のいずれかに記載の下着の製造及び／又は再生方法。
【請求項７】
下着に最初にシクロデキストリンを加えることを特徴とする請求項１〜６のいずれかに記載の下着の製造及び／又は再生方法。
【請求項８】
シクロデキストリンを下着に固定化させることを特徴とする請求項１〜７のいずれかに記載の下着の製造及び／又は再生方法。
【請求項９】
化粧品及び／又は皮膚科学的に活性な成分を皮膚に適用するための前記請求項のいずれかに記載の下着の使用。
【請求項１０】
化粧品及び／又は皮膚科学的に活性な成分による皮膚の連続的処理のための前記請求項のいずれかに記載の下着の使用。
【発明の詳細な説明】
【技術分野】
【０００１】
本発明は化粧品及び／又は皮膚科学的に活性な成分を加えられた（ｌｏａｄｅｄ  ｗｉｔｈ）下着に関する。
【背景技術】
【０００２】
人々がより快適な感覚的な全体の印象を達成するのを助けるために、化粧品及び／又は皮膚科学的に活性な成分がしばしば使用される。使用者の臭いの印象を改良するために、香料を使用していやな体臭を覆い隠すこと又は、例えば、発汗抑制剤又は消毒物質の使用によりこれらの臭いの形成を防止することを試みることができる。大抵の場合に、このような調製物はスプレー、薄い液体調製物（脱臭剤回転塗布剤（ｄｅｏｒｄｏｒａｎｔ  ｒｏｌｌ−ｏｎｓ）又はスティック様調製物（スティック）の形態で投与される。
【０００３】
光学的印象を改良するため又、及び病気又は老化により引き起こされる醜部（例えば、しわ又は線）を回避するため及び皮膚の色むらを減少させるか又は除去するために、多数の液体調製物乃至高度に粘性の調製物、大抵は軟膏又はローションが入手可能である。
【０００４】
これらの製品は大抵の場合に皮膚に直接適用される。しかしながら、皮膚における感覚はしばしば脂のようでありそして不快である。更に、下着の下に着けると、下着は通常脂肪含有調製物で汚れる。
【０００５】
活性成分を加えられた硬膏、パッチ、包帯及びマスクも又は知られている。それらの欠点は、大抵の場合１回しか使用できないことであり、これは環境保護の理由で受け入れられない。更にこのような活性成分担体を着けるのはしばしば不快でありそして美的ではない。
【発明の開示】
【発明が解決しようとする課題】
【０００６】
それ故、本発明の目的は、先行技術の欠点を克服するか又は減少させそして化粧品及び／又は皮膚科学的に活性な成分のための新規な適用形態を開発することであった。
【課題を解決するための手段】
【０００７】
この目的は化粧品及び／又は皮膚科学的に活性な成分を加えた（ｌｏａｄｅｄ）下着により驚くべき方法で達成される。
【発明を実施するための最良の形態】
【０００８】
ここで、本発明に従えば、下着は、大抵皮膚と密着する洗濯物を意味するものと理解される。本発明に従えば、シャツ、Ｔシャツ、ブラ、パンツ、寝間着、ビュスティエ、ズボン吊りベルト、ストッキンク及び／又はパンティストッキングは特に有利である。手袋、ヘッドカバー（例えば、野球帽、帽子）、おむつ（ｄｉａｐｅｒｓ）、海水パンツ、水泳着及びビキニも本発明に従って有利に使用することができる。
【０００９】
本発明に従えば、テキスタイルは有利には天然及び／又は合成繊維からなることができる。羊毛、カシミヤヤギの毛、絹、木綿、リンネル、ジュート、麻、サイザルアサ、ポリエステル及びポリアミドが特に有利である。すべての種類の天然の皮革、人口皮革及びラテックスも本発明に従う有利なテキタイルである。
【００１０】
本発明に従えば、シクロデキストリンを固定化したテキスタイルは有利である。これらは下着を着ている間活性成分の制御された放出及び遅延放出を可能とする。シクロデキストリンは、ここでは、α−、β−及びγ−シクロデキストリン、及び完全に又は部分的にエーテル及び／又はエステル基を与えられたそれらの誘導体を意味するものと理解される。
【００１１】
好ましいシクロデキストリンは、β−シクロデキストリン及びβ−シクロデキストリン誘導体である。かくして、例えば、商品名Ｂｅｔａ  Ｗ７  ＭＣＴの下にＷａｃｋｅｒ（Ｂｕｒｇｈａｕｓｅｎ、Ｇｅｒｍａｎｙ）により販売されているモノクロロトリアジニル−β−シクロデキストリンは、優れた方法で、セルロース含有繊維、例えば、木綿繊維又は木綿含有ブレンドに共有結合により結合することができる。更に、例えば、シクロデキストリンの長鎖疎水性基による置換により得ることができる疎水化されたシクロデキストリン誘導体を、確立されたエマルションペイント法の条件下に使用して合成繊維に結合させることができる。
【００１２】
使用することができる化粧品及び／又は皮膚科学的に活性な成分は、なかでも、フェロモン、催淫薬、漂白剤、自己なめし薬（ｓｅｌｆ−ｔａｎｎｉｎｇ  ａｇｅｎｔｓ）、忌避剤、香料、皮膚の炎症状態の予防及び／又は治療のための活性成分、及び／又は、過敏と決定された皮膚及び乾燥した皮膚（ｓｅｎｓｉｔｉｖｅｌｙ  ｄｅｔｅｒｍｉｎｅｄ  ａｎｄ  ｄｒｙ  ｓｋｉｎ）（例えば、アトピー性湿疹、脂漏性湿疹、多形光線皮膚症、乾癬、白斑、傷治癒障害、かゆみ、過敏な皮膚又は刺激に過敏な皮膚（ｓｅｎｓｉｔｉｖｅ  ｏｒ  ｉｒｒｉｔａｔｅｄ  ｓｋｉｎ）、光線誘発皮膚損傷及び紫外線誘発免疫抑制、落屑（ｄｅｓｑｕａｍａｔｉｏｎ）の変化、正常な繊維芽細胞及びケラチノサイト増殖の変化、不足した感受性のもしくは活性の低い皮膚状態又は皮膚付属物の感受性の不足したもしくは活性の低い状態の及び皮膚の厚さを減少させるための、正常な繊維芽細胞及びケラチノサイト分化の変化の如き）の場合の皮膚保護のための活性成分である。そしてしわ及び線及び脂肪性浮腫（ｃｅｌｌｕｌｉｔｅ）の治療及び／又は予防のための活性成分も本発明に従って有利である。
【００１３】
更に、清潔な下着又はクリーニングされた下着に別の洗浄及び／又は乾燥操作において化粧品及び／又は皮膚科学的に活性な成分を加える、下着の製造及び／又は再生方法が本発明によって提供される。この方法は、清潔な下着又はクリーニングされた下着に最初にシクロデキストリンを加えることも特徴とする。この添加（ｌｏａｄｉｎｇ）はシクロデキストリンを固定化することにより本発明に従って行うこともできる。
【００１４】
最後に、皮膚に化粧品及び／又は皮膚科学的に活性な成分を適用するための本発明に従う下着の使用、及び化粧品及び／又は皮膚科学的に活性な成分による皮膚の連続的処理のための本発明に従う下着の使用も有利である。
【００１５】
下記の実施例は本発明を限定することなく本発明を説明することを意図する。与えられる量は処理液の全重量を指す。
【実施例】
【００１６】
５０℃に加熱されておりそしてモノクロロトリアジニル−β−シクロデキストリン０．０５重量％、炭酸ナトリウム及びＮａＯＨ溶液（５重量％）を含んでなる処理液に、処理されるべき木綿含有布を浸漬しそして１２０分間そこに放置する。次いで布を取り出しそして冷水で数回すすぐ。
【国際調査報告】
2005513284.tif 000002
2005513284.tif 000003
2005513284.tif 000004
2005513284.tif 000005
2005513284.tif 000006
2005513284.tif 000007